(57)【要約】【課題】  建築物の木造小屋組及び軽量鉄骨造に於ける小屋組を構成する構造部材同士の接合を垂木留金物で強固に行い、高耐力による高剛性の小屋組を実現し、施工の簡便化と正確化を図る。【解決手段】  金属平板の中央部を垂木材幅の二分の一ずつ上方に折曲し、突起させた両側壁Ｂ、Ｃにビス孔ｈを穿ち両側壁により材各々を接合することや垂木留金物が横架材幅内に納まり、多くの小屋組形状に対応できることを特徴とする。【選択図】図１
2013032674.tif 000002
【特許請求の範囲】
【請求項１】
垂木材等を横架材等に取り付ける際に用い、垂木材と横架材を接合する金物であって、
垂木材等を狭持する連結した二枚の側壁と先端下方に固定片を有することを特徴とする垂木留金物。
【請求項２】
垂木留金物先端両側壁間連結部からの突出部を下方に折曲して位置決め固定片とし、
横架材上端に垂木留金物の仮置きと同時に取り付け定位置への位置決めを自動的且つ簡便に行えることを特徴とする請求項１記載の接合金物。
【請求項３】
施工手順を考慮し、垂木留金物の後付け施工に対応するため、二枚の側壁連結部以外を開放し、両側壁下部を外側に垂木留金物の捻じれ等水平方向歪みを補正する固定用水平板を附帯したことを特徴とする請求項２記載の垂木留金物。
【請求項４】
小屋組の桁材等横架材の上端上から外側に垂木留金物が突出せず、軒先の無い小屋組等にも対応することを特徴とする請求項３記載の垂木留金物。
【発明の詳細な説明】
【技術分野】
【０００１】  本発明は、木造建築物の小屋組や鉄骨建築物に於ける木製小屋組等の小屋組を構築する際に用いる垂木留金物に関する。
【背景技術】
【０００２】  従来、垂木材等の接合に用いる垂木留金物は垂木材上部から被せ母屋材、桁材等の側面に釘、ビス等を用い留め付ける帯状板金を捻った鐙型や板状金属を９０度折曲しビス孔を開けただけのものが主流となっている。【０００３】  垂木材等の接合金物の機能は垂木材と横架材を緊結し野地板等と共に小屋組の剛性を確保するものでなくてはならないが、上述する従来の金物では個々の部材を固定するのみで剛性を確保するには不十分である。
【発明の開示】
【発明が解決しようとする課題】
【０００４】  上述の如く、従来技術に係る垂木材の垂木留金物はその形状からしてもせん断力等横からの力には抗しがたく野地板等との組み合わせにより水平剛性を確保している。
垂木材と横架材等他の部材との接合部が脆弱だと小屋組み全体の剛性が低下してしまい建築物全体の強度にも影響することになる。【０００５】  小屋組に高剛性を求める場合、垂木材と横架材の接合が確実に行えることは本より、垂木材及び桁材、母屋材等横架材とを高強度に接合することが必要となる。【０００６】  本発明による連結した左右二枚の両側壁（以下両側壁という）を持つ垂木留金物（以下垂木留金物という）は、斯様な状況を鑑みてなされたものであり、その目的は小屋組部材同士垂木材と桁材、母屋材等横架材との高強度接合による高耐力化と施工の簡便化にある。
【課題を解決するための手段】
【０００７】  上述の目的を達成する本発明の垂木留金物は、一定の大きさの板金の中央部に切り込みを入れ連結部を除き上方に折曲した正面Ｕ字型で中央部を外側水平に折曲し下部に固定用水平板として突出させたもので、両側壁、下部の水平固定板、両側壁先端の固定片から成り、両側壁間に垂木を差し込み狭持する目的から、その両側壁間の連結部を除き開放し垂木材を狭持して、横架材上端に取り付け接合することを特徴とする垂木留金物である。【０００８】  一例として、垂木留金物の後端部が開口となっており、桁、母屋等横架材に垂木材を取り付けた場合でも横架材上、垂木材下の空間から垂木留金物を差し込みビス留めにより垂木材と横架材とを接合することができる。【０００９】  又、垂木留金物は両側壁Ｂ、Ｃの間隔が垂木材幅と同幅に作られていれば垂木留金物の位置を考慮する必要が無く、垂木留金物先端の下方へ折曲げられた固定片の横架材への固定により奥行きも自動的に決まる。
垂木欠き等プレカットされた横架材であれば、現場での横架材の奥行方向は自動的に決定されるため、墨付け等の高所作業を省くことが可能である。【００１０】  又、垂木留金物は桁、母屋等横架材内側に取り付け接合されるため、垂木留金物が外側に突出しないので仕上げや面材に影響することが無く、軒先の無い場合や軒先出寸法の少ない小屋組みにも採用できる。
【発明の効果】
【００１１】  以上説明したように、本発明の垂木留金物Ａによれば桁材、母屋材等の横架材への垂木材の取り付けが確実に行え、且つ墨付け等により位置決めをする必要も無く、事前の作業やそれに伴う高所作業を減じることが可能である。【００１２】  従来雪積等鉛直荷重に対しては梁材（母屋材）や垂木材の許容応力度、樹種、断面のサイズアップ等の検討による対応をしてきたが、近年起こるだろうと予想される巨大地震に対し屋根（小屋組み）も建築物の水平構面として水平力に対抗する必要性が生じている。
本発明の垂木留金物によれば多くの接合金物を使用すること無くこの部分の高強度化が図れ、施工の簡便化と同時に木造建築物や軽量鉄骨建築物等の小屋組の高耐力化が可能となる。
【発明を実施するための最良の形態】
【００１３】  以下、本発明の実施の形態を図面に基づき詳細に説明する。【００１４】  図１及び図２は本発明の第一の実施の形態に係り、図１は本発明の垂木留金物を桁材、母屋材等小屋組構造部材に取り付けた状態を示す斜視図、図２は本発明の垂木留金物の外観斜視図、図３は第２の実施の形態を示めし、図４は第３の実施例の形態を示すものである。【００１５】  図中１は、桁材、母屋材等横架材を示し、２は垂木材、Ａは本発明の垂木留金物を示す。
図１に示すように、本垂木留金物Ａは後端部の上端Ｍ、Ｎを半円形とし先端部Ｏ、Ｐを狭め連結した両側壁ＢとＣを持つ正面Ｕ字型に折曲したもので、中央部に入れた切り込みを左右外側に水平に折曲し水平固定板ＤとＥとしてビス孔ｊを穿ち、更に連結板Ｇにより連結し両側壁間の先端から突出させた板金を下方に折曲し固定片Ｆを設けビス孔ｋを穿ったものである。【００１６】  本発明の垂木留金物Ａは両側壁Ｂ、Ｃ下方から外側に設けられた水平固定板Ｄ、Ｅからビスａにより桁材、母屋材等横架材１上端に固定され、桁材、母屋材等横架材１の上端に設置された垂木材２の側面から左右両側の側壁Ｂ、Ｃを介しビスｂを以て留め付けられ、両側壁Ｂ，Ｃが挟持する確実な状態で横架材に接合されている。【００１７】  従来のように、小屋組構成部材への釘の斜め打ちや、不正確な釘打ちにより生じる木材の割れ等は建築物に致命的な欠陥となる。
本発明の垂木留金物Ａは垂木材２を正確に接合でき、せん断力等作用する力を接合する部材に安全に伝達できる。【００１８】  図３は本発明の第２の実施の形態に係るもので、垂木留金物Ａを水平な陸屋根の横架材と垂木材を接合した状態を示すものであり、この状態の屋根構造は屋上を造る場合や、多雪地域に多く造られる無落雪屋根などに応用される。【００１９】  更に垂木留金物Ａは、桁材、母屋材等横架材幅以下に設計されておりこれ等の部材から突出することが無く第３の実施例として図４にその横架材上端での接合状態を示すものである。
【実施例】
【００１９】  通常、一般的に用いられる垂木材の断面サイズは４５ｍｍ×９０ｍｍ〜４５ｍｍ×６０ｍｍ程度の材料が多く、垂木材２を狭持する垂木留金物Ａの両側壁Ｂ、Ｃの幅は内寸４５ｍｍ程あれば事足り、木質枠組壁工法の様に壁上に頭繋ぎ等の部材が無ければ直接に桁材、母屋材等横架材１と垂木材２とを接合できる。【００２０】  更に実施例では、勾配屋根の場合の接合について説明しているが、本発明の垂木留金物は第２実施例に示すように屋根面が平らな陸屋根を構成する横架材と垂木材を接合する場合にも用いることができる。【００２１】  以上本発明の実施の形態及び実施例を説明したが、本発明の範囲はこれに限定されるものではない。
例えば、垂木留金物の後端に横架材と同寸の幅で固定片を設ければ、更に強固な接合状態が得られる。
【産業上の利用の可能性】
【００２２】  本発明は主に木造小屋組や軽量鉄骨造小屋組に用いることが可能であり、建築物の建築や増改築を行う産業分野で利用することができる。
【図面の簡単な説明】
【００２３】
【図１】  本発明の実施の形態に係る垂木留金物Ａを小屋組構造部材である横架材１に取り付け垂木材２を取り付けて接合した状態を示す部分断面斜視図である。
【図２】  本発明の垂木留金物Ａの外観斜視図である。
【図３】  本発明の垂木留金物Ａの第２実施例の斜視図である。
【図４】  本発明の垂木留金物Ａの第３実施例の斜視図である。
【符号の説明】
【００２４】１                桁材、母屋材等横架材
２                垂木材
３                垂木欠き部分
４                垂木桁上先端
Ａ                垂木留金物
Ｂ                垂木留金物側壁
Ｃ                垂木留金物側壁
Ｄ                水平固定平板
Ｅ                水平固定板
Ｆ                先端固定片
Ｇ                側壁連結板
Ｍ                垂木留金物後端円形部
Ｎ                垂木留金物後端円形部
Ｏ                垂木留金物先端
Ｐ                垂木留金物先端
ａ                ビス
ｂ                垂木材固定用ビス
ｈ                側壁垂木材固定用ビス孔
ｊ                水平固定板ビス孔
ｋ                固定片ビス孔
【図１】
2013032674.tif 000003
【図２】
2013032674.tif 000004
【図３】
2013032674.tif 000005
【図４】
2013032674.tif 000006